(57)【要約】　　　（修正有）　【課題】　パソコン、写真レンズ等に対する着脱が簡便にできる緩衝カバーを実現する。　【解決手段】　低反撥性発泡体層１の全面にB面を有する布ファスナー２を積層し、その一端縁にこれより外方へ伸延させてA面を有する布ファスナーの舌片５を設け、これに両端にＡ面布ファスナーを設けたゴムテープ７を組合わせた。　【選択図】　図５
0003099796.tif 000002
【実用新案登録請求の範囲】
【請求項１】
　緩衝材料層の第１の面にその全面にわたって布ファスナーＢ面の基布を積層し、上記緩衝材料層の第２の面における一端縁部に布ファスナーＡ面の基布を結合してなる緩衝カバー。
【請求項２】
　請求項１において、上記緩衝材料層の第２の面に結合されているＡ面布ファスナーは、上記緩衝用材料層の上記一端縁を越えて舌片状に張出していることを特徴とする緩衝カバー。
【請求項３】
　請求項１において、上記緩衝材料層は合成樹脂の独立気泡性発泡体であることを特徴とする緩衝カバー。
【請求項４】
　請求項３において、上記合成樹脂はスチレン系樹脂、オレフィン系樹脂、ポリエチレン系樹脂、ポリ塩化ビニル樹脂から選ばれた一員または複数員の共重合物であることを特徴とする緩衝カバー。
【請求項５】
　請求項１において、第１の面の全面に布ファスナーＢ面の基布が積層され、第２の面の一端縁部に布ファスナーＡ面の基布が結合されている低反撥性緩衝材料層と、両端にそれぞれ布ファスナー Ａ面の基布が結合されているゴムテープとよりなることを特徴とする緩衝カバー。
【考案の詳細な説明】
【技術分野】
【０００１】
　本考案は、カメラ、カメラレンズ、ノート型パソコン等の小形精密機器類の運搬時や取扱時に衝撃が加わるのを防ぐカバーに関するものである。
【背景技術】
【０００２】
　一般にカメラやカメラレンズは、個々に耐衝撃性の専用ケースに納められており、これらを鞄などに収容して運搬し、撮影現場ではそれぞれをケースから取出して使用するが、レンズを交換する際は、今まで使用していたレンズをその都度専用ケースに納めるのが面倒なために、そのまゝ鞄に入れることが多く、その際に衝撃によりレンズが損傷することが多い。
【０００３】
　また、ノート型パソコンは布製のキャリヤケースに収容して運搬することが多いが、キャリヤケースの耐衝撃性が不充分なために、床に落としたりたの物品が衝突した場合に、パソコンが損傷する危険がある。
【考案の開示】
【考案が解決しようとする課題】
【０００４】
　従って、本考案は衝撃から護ろうとする機器類への着脱が極めて簡便であり、かつ緩衝効果が大きい緩衝カバーを実現しようとするものである。
【課題を解決するための手段】
【０００５】
　本考案は、低反撥性緩衝材料板を用い、その第１の面にはその全面にわたって布ファスナーのＢ面（ループ状パイルを持った面）の基布を積層し、上記材料板の一端縁部分には、上記布ファスナーＢ面に係合するＡ面（鉤状のパイルを持った面）を持った布ファスナー片を結合して、緩衝カバーとする。
【０００６】
　使用に際しては、衝撃から護ろうとする機器類の周囲に、布ファスナーのＢ面を外側にして上記緩衝カバーを巻付け、その一端縁に取付けた布ファスナー片のＡ面を先に巻きつけた部分の外側面に位置する布ファスナーＢ面に押付けて、布ファスナーを系合させる。すると、内部の機器類の全周を緩衝カバーで包囲できるので、機器類を衝撃から護ることができる。
【０００７】
　更に、両端にそれぞれＡ面の布ファスナーを有するゴムテープを用意しておき、これを上記の緩衝カバーの巻回方向と直交する方向に巻付け、その両端のＡ面の布ファスナーを緩衝カバーの外面の布ファスナーＢ面に係合するときは、緩衝カバーの巻回端面から内部の機器類がみだりに脱出するのを防いで、より安全になる。
【考案の効果】
【０００８】
　以上のように、本考案の緩衝カバーは、単に、機器類の周囲に巻付けるだけ、或いは更にその外側にゴムテープを巻付けるだけで効果的に機器類を衝撃から護ることができ、これらの巻付けたゴムテープ及び緩衝カバーは、単に引張って布ファスナーの係合を解くだけで内部の機器を取出すことが出きるので、その操作は極めて簡易である。
【考案を実施するための最良の形態】
【０００９】
　緩衝材の形状としては長方形が望ましく、その片面の全面にわたってＢ面布ファスナー（ループ状パイルを有する布ファスナー）の基布が、接着剤等によって積層されている。緩衝材にはスチレン系、オレフィン系、ポリエチレン系、ポリ塩化ビニル系等の独立気泡性のスポンジシートで、特に低反撥性の材料が好ましい。この布ファスナーを積層したシートの一辺には、Ａ面布ファスナー（鉤状パイルを有する布ファスナー）の舌片が取付けられており、このパイル面は前記Ｂ面布ファスナーとは反対側を向いている。積層したシートの緩衝材層とＢ面布ファスナーとは、その接着部分が剥離しないように、その周縁部分をミシンで縁縫するのが望ましく、更にその囲まれた内側の部分も剥離防止のミシン縫をしておくことが望ましい。
【実施例１】
【００１０】
　図１及び図２において、発泡体シート１は長方形をなし、その下面には全面にわたってＢ面布ファスナー２が接着されて積層体３を構成しており、その全周に縁縫４が施こされている。布ファスナー２はその基布側か発泡シート１に接着され、図２における下面にループ状のパイルが現れている。
【００１１】
　上記積層体３の長方形を構成している短かい方の一辺には、鉤状のパイルを持ったＡ面布ファスナーの舌片５が縫着６されており、この布ファスナー舌片５のパイルは図２における上面を向いている。ほかに、図３に示すゴムテープ７が用意され、このゴムテープ７の両端にはそれぞれＡ面布ファスナー８が縫着９されている。
【００１２】
　パソコン用の寸法の一例を示せば、積層体３の寸法は縦約３０ｃｍ、横約７０ｃｍで、ゴムテープ７の長さは約３５ｃｍである。なお、パソコンのサイズは機種によって異なるので積層体３として寸法の異なる品種のものを３通りほど用意しておけば便利であり、上述の寸法は大体中間サイズのパソコンに対応する。
【００１３】
　パソコンを包むには、図１及び図２に点線で示すように発泡体シート１の上面にパソコン１０を置き、図４及び図５に示すように積層体３によってこれを包囲し、舌片５の布ファスナーＡ面を積層体３の布ファスナーＢ面に係合させる。そして必要に応じその巻回端面を横切る方向でこれにゴムテープ７を掛け、その両端のＡ面布ファスナー８を積層体３のＢ面布ファスナー２に係合させる。パソコンは、このような状態で包んだ上で、例えば布製キャリヤバッグ等に収納すれば、安全に運搬することができる。
【実施例２】
【００１４】
　図６及び図７はカメラレンズを包囲するに適した緩衝カバーを示し、図１乃至図５に示した実施例１と対応する箇所は同じ符号で表示している。積層体３の寸法は、レンズの鏡胴の外径及び長さに応じ数種類が用意されるか、１例を示せば縦１５ｃｍ、横３０ｃｍである。
【００１５】
　レンズ１１を包むには、図６及び図７に示すように積層体３上の一端にレンズ１１を置き、同端部から巻き始めて、図８に示すように舌片５を積層体３の布ファスナーに係合させる。必要に応じ図９に示すようにこの巻回物の巻回端を閉塞する方向にゴムテープ７を掛け、その両端の布ファスナー８を積層体３側の布ファスナー２に係合させる。
【産業上の利用可能性】
【００１６】
　以上のように本考案による緩衝カバーは、その着脱が極めて簡便であってパソコンや写真レンズの保護に有効であるばかりではなく、ガラス、陶器などの工芸品や貴重品の保護にも利用することができる。
【図面の簡単な説明】
【００１７】
【図１】本考案を実施したパソコン用緩衝カバーの平面図である。
【図２】同パソコン用緩衝カバーの正面図である。
【図３】同パソコン用緩衝カバーに組合わせて使用するゴムテープの平面図である。
【図４】上記緩衝カバーでパソコンを包んだ状態の平面図である。
【図５】パソコンを包んだ上記緩衝カバーの正面図である。
【図６】本考案を実施した写真レンズ用緩衝カバーの平面図である。
【図７】同レンズ用緩衝カバーの正面図である。
【図８】レンズを包囲した緩衝カバーの平面図である。
【図９】レンズを包囲した緩衝カバーにゴムテープを掛けた状態の側面図である。
【符号の説明】
【００１８】
　1発泡体シート
　2B面布ファスナー
　3積層体
　4縁縫線
　5A面布ファスナー舌片
　6縫着線
　7ゴムテープ
　8A面布ファスナー
　9縫着線
　10パソコン
　11写真レンズ
　
　
　
【図１】
0003099796.tif 000003
【図２】
0003099796.tif 000004
【図３】
0003099796.tif 000005
【図４】
0003099796.tif 000006
【図５】
0003099796.tif 000007
【図６】
0003099796.tif 000008
【図７】
0003099796.tif 000009
【図８】
0003099796.tif 000010
【図９】
0003099796.tif 000011